(57)【特許請求の範囲】
【請求項１】
火元に対して直接または接続管などを介して下端部が接続され、屋外においてほぼ垂直
に立てられた幹筒の上端部に取り付ける排気トップであって、
上記幹筒の上端部に嵌め込んで固定された第１の縦筒と、
該第１の縦筒の外径よりも内径が大きくて、第１の縦筒に対して同軸状に、かつ回動自在
に嵌め込まれた第２の縦筒と、
該第２の縦筒の上端部に斜めに接続した斜筒とにより構成され、
上記第２の縦筒の先端部を斜めに裁断して、上記斜筒の側面に開けた孔から上記斜筒の
中に突出させて固定し、上記第２の縦筒の中心軸線と斜筒の中心軸線との交点Ｘから、上
記斜筒の斜め上の開口までの長さｂを、交点Ｘから斜め下の開口までの長さａよりも大き
く設定したことを特徴とする排気トップ。
【発明の詳細な説明】
【技術分野】
【０００１】
この発明は、煙の逆流を防止し、風が吹いているときでも排気性能が優れた排気トップに関する。
【背景技術】
【０００２】
従来より雨滴の流入を防ぐために、２本の短い縦筒を１本の横筒で連通したＨ型の排気トップが知られている。
【０００３】
このような従来のＨ型の排気トップにおいては、４つの排気口の各口径が、それぞれほぼ同じであるから、幹筒の口径に対して排気口の口径が４倍になる。そのために、排気の流通速度が遅くなって、煙が滞留して雨滴が流入し易く、排気性能も低下するものであった。
【０００４】
そこで、雨滴の流入を防ぐ排気トップとして、垂直に立てられた幹筒の開口部に、幹筒より大径の案内筒を横向き接続したＴ字形の排気トップが知られている。このＴ字形の排気トップにおいて、風を伴う雨水の流入防ぐために、幹筒の先端部を案内筒の中に突き出させて防雨用の障壁を形成し、この障壁の近傍に排水孔をあけて下に集まった雨水を外へ排出させる排気トップが、下記特許文献１に開示されている。
【先行技術文献】
【特許文献】
【０００５】
【特許文献１】実開昭５８−８３６４９号公報
【発明の概要】
【発明が解決しようとする課題】
【０００６】
このようなＴ字形の排気トップを用いても、風が強いときには、吹き返しによって幹筒内の煙が逆流し、ストーブのある部屋では煙が一時的に籠もったり、火が立ち消えすることがあった。特に、薪を使用する薪ストーブ、オンドル、ペチカなどにおいては、吹き返しに基づく問題があった。
【０００７】
そこで、この発明は、構造が簡単で、吹き返しが少なく、強風でも煙を逆流させることがなく、排気性能も優れた煙突の先端に取り付ける排気トップを提供するために考えられたものである。
【課題を解決するための手段】
【０００８】
この発明の排気トップは、火元に対して直接または接続管などを介して下端部が接続さ
れ、屋外においてほぼ垂直に立てられた幹筒の上端部に取り付けるものであって、幹筒の
上端部に嵌め込んで固定される第１の縦筒と、この第１の縦筒の外径よりも内径が大きく
て、第１の縦筒に対して同軸状に、かつ回動自在に嵌め込まれた第２の縦筒２と、この第
２の縦筒の上端部に斜めに接続した斜筒とにより構成され、上記第２の縦筒の先端部を斜
めに裁断して、上記斜筒の側面に開けた孔から上記斜筒の中に突出させて固定し、上記第
２の縦筒の中心軸線と斜筒の中心軸線との交点Ｘから、上記斜筒の斜め上の開口までの長
さｂを、交点Ｘから斜め下の開口までの長さａよりも大きく設定したものである。
【０００９】
この発明の排気トップは、第２の縦筒の中心軸線と斜筒の中心軸線との交点Ｘから、上記斜筒の斜め上の開口までの長さｂを、交点Ｘから斜め下の開口までの長さａよりも大きく（ｂ＞ａ）設定しておくことにより、風が吹いたときには、風向きの変化に対応して斜筒３が第２の縦筒とともに回動し、斜め下の開口が常に風上側に向くので、斜筒３の中を風が上向きに吹き抜ける。
【発明の効果】
【００１０】
この発明の排気トップによると、風が吹いて斜筒の中を風が上向きに吹き抜けるとき、ベルヌーイの定理により煙が吸引されて排気される。したがって、吹き返しがなく、部屋の中に煙が逆流することがなく、排気効率がよいので火元の燃焼も促進される。
【図面の簡単な説明】
【００１１】
【図１】この発明の排気トップを示す縦断面図であり、
【図２】この発明の排気トップの構造を説明するための横断面図である。
【発明を実施するための形態】
【００１２】
この発明の排気トップは、図１の縦断面図に示すように、ストーブや釜などの火元に対して直接または接続管などを介して下端部が接続され、屋外においてほぼ垂直に立てられた排煙用の幹筒４の上端に取り付けられるもので、幹筒４に嵌め込んで固定する第１の縦筒１と、この第１の縦筒１の外径よりも内径が大きくて、第１の縦筒１に対して同軸状に、かつ回動自在に嵌め込まれた第２の縦筒２と、この第２の縦筒２の上端部に斜めに接続した斜筒３とにより構成されている。
【００１３】
第２の縦筒２の先端部を斜めに裁断して、斜筒３の側面に開けた孔から中に突出させて、スポット溶接などによりイ字形に固定して一体化したもので、斜筒３の中に突き出た第２の縦筒２の先端部により防雨用の障壁21を形成する。
【００１４】
図１および図２の横断面図（ａ）に示すように、第１の縦筒１には、上部内側に細い板材よりなる支持部材12を掛け渡し、縦筒の中心軸線に当たる支持部材12上の位置に軸線方向に軸棒11を植設している。
【００１５】
なお、図１中に示す符号13は、第１の縦筒１が幹筒４に嵌まり込む深さを規制するために、第１の縦筒１の下部全周に膨出させた凸条である。
【００１６】
図１および図２の横断面図（ｂ）に示すように、第２の縦筒２には、間隔をあけて上下２カ所に掛け渡した細い板材よりなる軸受部材22、24を備えており、第２の縦筒２の中心軸線に当たる軸受部材22、24上の位置に軸受となる孔23、25があけられており、これらの孔23、25に、第１の縦筒１の支持部材12に植設した軸棒11を挿通して、第２の縦筒２および斜筒３を第１の縦筒１に対して回動自在に支持させる。
【００１７】
斜筒３は、斜め下の開口31が空気の入口となり、斜め上の開口32が空気および煙の出口となる。そして、第２の縦筒２の中心軸線と斜筒３の中心軸線との交点Ｘから、斜め上の開口32までの長さｂが、交点Ｘから、斜め下の開口31までの長さａよりも大きく（ｂ＞ａ）設定されている。
【００１８】
このように、第２の縦筒２の中心軸線と斜筒３の中心軸線との交点Ｘから斜筒３の両開口31、32までの長さを異ならせておくことにより、風が吹いたときには、風向きの変化に対応して斜筒３が回動し、斜め下の開口31が常に風上側に向くので、斜筒３の中を風が上向きに吹き抜ける。
【００１９】
風による斜筒３の回動を容易ならしめるために、風向計のように斜筒３に垂直な羽根を取り付けてもよいのである。
【００２０】
火元で発生した高温度の煙は、幹筒４から第１の縦筒１および第２の縦筒２を経て斜筒３の中へ鈍角に曲がって排気される。この排気における通気抵抗は、Ｔ字形の排気トップに比べて小さいので、無風状態においては、排気トップの中へ少ない抵抗で排気できる。
【００２１】
風が吹いている状態においては、ベルヌーイの定理により、斜め下の開口31から吹き込まれた空気流により、第２の縦筒２の煙を吸い上げるので排煙効果がさらに向上する。
【符号の説明】
【００２２】
１  第１の縦筒
11  軸棒
２  第２の縦筒
21  防雨用の障壁
22、24  軸受部材
３  斜筒
31  斜め下の開口
32  斜め上の開口
４  幹筒
【図１】
0005483361.tif 000002
【図２】
0005483361.tif 000003